(57)【要約】【課題】従来の爪につける装飾品はつけ爪が基本になりそれを貴金属や樹脂・プラスチック製のもので飾るものが多かったが本考案はつけ爪という考えは一切なくし、単独物やいろいろな組み合わせのものを立体的に金・銀・プラチナなどで爪の形に近づけて作り爪そのものに本考案を取り付け女性などがファッションを高めたり楽しむものを提供することを課題とする。【解決手段】本考案は金・銀・プラチナなど加工しやすく装飾効果が高いもので彫刻や型抜きを施すことにより立体的なものを立体的に表現し更に装飾効果を高め爪だけでなくその人自身にインパクトを与える装飾品を提供することを解決の手段とする。【選択図】図２
0003123267.tif 000002
【実用新案登録請求の範囲】
【請求項１】
金・銀・プラチナなど貴金属からなる立体的な加工を施して爪の形にし、爪の表面に付ける装飾品。（図１）
【請求項２】
下地になる裏側には、目荒らしなど施し剥がれにくくする物とする装飾品。
【請求項３】
金・銀・プラチナなど貴金属の組み合わせからなる立体的な物を組み合わせて爪の形にし、爪に取り付ける装飾品。（図２）
【請求項４】
金・銀・プラチナなど貴金属からなる立体的な加工を施し、その物を自由自在に動く物とする爪に取り付ける装飾品。（図３）
【考案の詳細な説明】
【技術分野】
【０００１】本考案は手の爪、足の爪に装着して爪を装飾する物である。
【背景技術】
【０００２】従来の爪に対する装飾品は、つけ爪からなる樹脂製やプラスチック製の物や貴金属製などの物が多くそのつけ爪に宝石や装飾品を付ける物である。
【考案の開示】
【考案が解決しようとする課題】
【０００３】（１）従来の爪に対する装飾品は、つけ爪の表面に樹脂製の物やプラスチック製の物を加工などして立体的に見せるものが多く、くり返し使うと破損してしまったり、何かにぶつかると取れてしまって再度使用することは難しかった。またその装飾品を作る技術を持っている人しか楽しむことができなかった。【０００４】（２）従来の爪に対する装飾品は、つけ爪に対して装飾するものであって爪自体に装飾するものではなかった。
【課題を解決するための手段】
【０００５】請求項１に記載の本考案の爪の表面に付ける装飾品は金・銀・プラチナなど貴金属からなる立体的な物で立体的な加工がしやすく、彫刻、型抜き、型押しなどして爪の形に合わせて作った爪飾りである。また樹脂やプラスチック製と違い破損しにくい爪飾りである。【０００６】請求項２に記載の本考案の爪の表面に付ける装飾品は下地になる裏面に目荒らしなどを施した物である。【０００７】請求項３に記載の本考案の爪の表面に付ける装飾品は加工しやすい金・銀・プラチナなどで花・動物・その他の立体的になる物を組み合わせて彫刻、型抜き、型押しなどして爪の形に合わせ加工した爪飾りであり、それを装着するものとする。【０００８】請求項４に記載の本考案の爪の表面に付ける装飾品は請求項１，２，３記載の装飾品に加工を施し自由自在に動く物にした装飾品である。
【考案の効果】
【０００９】考案が解決しようとする課題で述べたように、従来の爪に対する装飾品はつけ爪そのものが装飾品であったり、つけ爪に対して装飾するもので爪そのものに装飾するものではなく使い捨ての物が多く立体的に見せるものは技術が必要で誰もが楽しめる物ではなくしかも樹脂やプラスチック製のもので破損しやすかった。本考案は貴金属で立体的なものを爪の形にすることにより破損することがなく、くり返し利用が可能であり手そのものに高級感を与えることができる。またつけ爪を付けての使用も可能でありさらに装飾部にマニキュアなどを施すことにより自分のファッションや思考に合わせ多彩なお洒落や楽しみ方もできる物である。
【考案を実施するための最良の形態】
【００１０】本考案の金属製の爪飾りは使用者の爪の大きさに応じて数種類の中から選択し、爪用の接着剤などで取り付けて使用するもの。
本考案は爪に対する接着面に目荒らしなどの加工を施し取れにくくするものとする。
【実施例】
【００１１】図１ａは爪に付ける土台の部分である。すべてが爪の形につくられるのではなくその装飾品に応じて形が爪の形と異なるものもある。【００１２】図１ｂは本考案により花・動物・など立体的に表現し爪を飾る装飾品としてつくるものとする。【００１３】図１ｄは土台となる部分の裏面であり接着面である。取れずらくするために凹の目荒らし加工を施す。【００１４】図２ｅは本考案により花・動物・など立体的に表現しそれらのものを付け合せて爪の形に加工し装飾品とする。【００１５】図２ｇは図１ｄと同様、土台となる部分の裏面であり接着面である。取れずらくするために凹の目荒らし加工を施す。【００１６】図３ｈは本考案による花・動物・など立体的に表現したものである。【００１７】図３ｉはｈの裏側に受け金物を取り付けｂを差し込むことにより自由自在に動くものとする。【００１８】図３ｊは図３ｈ、ｉの土台になるものである。【００１９】図３ｋは図１ｄ、図２ｇと同様土台となる部分の裏面であり接着面である。取れずらくするために凹の目荒らし加工を施す。【００２０】本考案による図１、２、３は花・動物などを貴金属で立体的に表現するために単独物であったりいろいろな組み合わせを彫刻、型抜き、型押しなどして加工し爪の形にして取り付けられるものとする。【００２１】本考案は金・銀・プラチナなど素材そのものを活かし使用者の手に装飾効果を高め爪用の接着剤とうで簡単に装着することができ、またマニキュアなどを塗ることによりファッションや思考を高めることができ何度でもくり返し利用ができる。また除光液で塗装を落とすことにより更に服などに合わせファッションを楽しむことができる。
【図面の簡単な説明】
【００２２】
【図１】本考案により貴金属によって単独物を立体的につくりあげ爪の形の土台の上に取り付け爪に付ける装飾品である。（ａ）断面図（ｂ）上面図（ｃ）裏面図
【図２】本考案により貴金属によっていろいろな組み合わせのものを爪の形にしそのものが土台になり爪に付ける装飾品である。（ａ）断面図（ｂ）上面図（ｃ）裏面図
【図３】本考案により貴金属によって単独物やいろいろな組み合わせのものを作りそれを動くように加工したものである。（ｄ）横断面図（ｅ）前断面図（ｃ）裏面図（ａ）断面図（ｆ）詳細図
【符号の説明】
【００２３】ａ  土台となる物である。
ｂ  本考案による単独物で立体的なものである。
ｃ  使用者の指である。
ｄ  本考案による土台になる接着面である。
ｅ  本考案によるいろいろな組み合わせのもので立体的なものである。
ｆ  使用者の指である。
ｇ  本考案による土台になる接着面である。
ｈ  本考案による単独物やいろいろな組み合わせの物で立体的なものである。
ｉ  本考案による図３ａの裏に付いている金物に差し込むものである。
ｊ  本考案による土台になる物である。
ｋ  本考案による土台になる接着面である。
【図１】
0003123267.tif 000003
【図２】
0003123267.tif 000004
【図３】
0003123267.tif 000005
【手続補正書】
【提出日】平成18年4月6日(2006.4.6)
【手続補正１】
【補正対象書類名】実用新案登録請求の範囲
【補正対象項目名】全文
【補正方法】変更
【補正の内容】
【実用新案登録請求の範囲】
【請求項１】
金・銀・プラチナなど貴金属からなる立体的な加工を施して爪の形にし、爪の表面に付ける装飾品。（図１）
【請求項２】
下地になる裏側には、目荒らしなど施し剥がれにくくする物とする請求項１の装飾品。
【請求項３】
金・銀・プラチナなど貴金属の組み合わせからなる立体的な物を組み合わせて爪の形にし、爪に取り付ける装飾品。（図２）
【請求項４】
金・銀・プラチナなど貴金属からなる立体的な加工を施し、その物を自由自在に動く物とする爪に取り付ける装飾品。（図３）